(57)【要約】      （修正有）【課題】より直感的な閲覧操作を提供することができる情報処理装置を提供する。【解決手段】受信部は、リンク先のデータを指定するリンク要素を含む構造化文書を受信する。解析部は、受信した構造化文書を解析する。表示制御部は、受信した構造化文書の解析結果に基づいて当該受信した構造化文書に含まれるリンク要素を配置した文書画像を生成し、当該生成した文書画像を表示部に表示する。決定部は、文書画像に対する位置が移動可能でありかつ表示部において文書画像を表示するための表示領域より小さい所定領域を決定する。受付部は、所定領域の移動を指示する移動指示を受け付ける。移動部は、前記移動指示を受け付けた場合に、前記文書画像に対する前記所定領域の位置を予め設定された領域分移動させる。表示制御部が、前記移動した所定領域内に配置されたリンク要素を前記文書画像に配置された他のリンク要素とは異なる表示態様で表示部に表示する。【選択図】図３
2013134696.tif 000002
【特許請求の範囲】
【請求項１】
リンク先のデータを指定するリンク要素を含む構造化文書を受信する受信部と、
前記受信した構造化文書を解析する解析部と、
前記受信した構造化文書の解析結果に基づいて当該受信した構造化文書に含まれるリンク要素を配置した文書画像を生成し、当該生成した文書画像を表示部に表示する表示制御部と、
前記文書画像に対する位置が移動可能でありかつ前記表示部において前記文書画像を表示するための表示領域より小さい所定領域を決定する決定部と、
前記所定領域の移動を指示する移動指示を受け付ける受付部と、
前記移動指示を受け付けた場合に、前記文書画像に対する前記所定領域の位置を予め設定された領域分移動させる移動部と、を備え、
前記表示制御部は、前記移動した所定領域内に配置されたリンク要素を前記文書画像に配置された他のリンク要素とは異なる表示態様で前記表示部に表示する情報処理装置。
【請求項２】
前記移動部は、前記移動指示を受け付けた場合に、前記文書画像に対する前記所定領域の位置を、前記所定領域の大きさ分移動させる請求項１に記載の情報処理装置。
【請求項３】
前記表示制御部は、前記表示領域よりも大きい前記文書画像を生成して当該生成した文書画像の一部を前記表示領域に表示し、前記所定領域を移動させる移動方向に存在する前記表示領域の端部と前記所定領域との間の領域の大きさが前記予め設定された領域の大きさより小さい場合、前記生成した文書画像のうち前記表示領域に表示する部分を、前記予め設定された領域の大きさ分移動させる請求項１または２に記載の情報処理装置。
【請求項４】
前記移動した所定領域内に配置されたリンク要素の識別情報を付与する付与部をさらに備え、
前記表示制御部は、前記移動した所定領域内に配置されたリンク要素近傍に、前記付与された識別情報を表示することによって、前記移動した所定領域内に配置されたリンク要素を前記他のリンク要素とは異なる表示態様で前記表示部に表示し、
前記受付部は、さらに、前記識別情報の入力を受け付け、
前記受信部は、前記移動した所定領域内に配置されたリンク要素のうち前記入力を受け付けた識別情報により識別されるリンク要素により指定されるリンク先のデータを受信する請求項１から３のいずれか一項に記載の情報処理装置。
【請求項５】
前記付与部は、前記移動した所定領域内に配置されたリンク要素に、入力部が備える番号キーによって入力可能な番号を前記識別情報として付与し、
前記受付部は、前記入力部により入力された番号を前記識別情報として入力を受け付ける請求項４に記載の情報処理装置。
【請求項６】
前記表示制御部は、前記移動した所定領域内に配置されたリンク要素により指定されるデータを表す画像のサムネイル画像を、前記表示部の前記表示領域以外の領域に表示する請求項４または５に記載の情報処理装置。
【請求項７】
前記表示制御部は、前記移動した所定領域内に配置されたリンク要素のうち前記受信部によって受信できるデータを指定するリンク要素を前記他のリンク要素とは異なる表示態様で前記表示部に表示する請求項１から６のいずれか一項に記載の情報処理装置。
【請求項８】
前記決定部は、前記移動した所定領域内に配置されたリンク要素の数が、前記番号キーにより入力される番号の上限を超えた場合、前記移動した所定領域内に配置されるリンク要素の数が前記上限以下になるように、前記所定領域の大きさを縮小する請求項５に記載の情報処理装置。
【請求項９】
情報処理装置で実行される情報表示方法であって、
前記情報処理装置は、
受信部が、リンク先のデータを指定するリンク要素を含む構造化文書を受信する工程と、
解析部が、前記受信した構造化文書を解析する工程と、
表示制御部が、前記受信した構造化文書の解析結果に基づいて当該受信した構造化文書に含まれるリンク要素を配置した文書画像を生成し、当該生成した文書画像を表示部に表示する工程と、
決定部が、前記文書画像に対する位置が移動可能でありかつ前記表示部において前記文書画像を表示するための表示領域より小さい所定領域を決定する工程と、
受付部が、前記所定領域の移動を指示する移動指示を受け付ける工程と、
移動部が、前記移動指示を受け付けた場合に、前記文書画像に対する前記所定領域の位置を予め設定された領域分移動させる工程と、を含み、
前記表示制御部が、前記移動した所定領域内に配置されたリンク要素を前記文書画像に配置された他のリンク要素とは異なる表示態様で前記表示部に表示する情報表示方法。
【発明の詳細な説明】
【技術分野】
【０００１】
本発明の実施形態は、情報処理装置および情報表示方法に関する。
【背景技術】
【０００２】
従来、インターネット等のネットワークに接続する機能を備えた多くのデジタルテレビジョンでは、ＨＴＭＬ（Hyper  Text  Markup  Language）ページを表示部に表示し、表示したＨＴＭＬページに含まれるリンク要素間を移動するフォーカスを、リモートコントローラが備えるキーを操作することにより移動させていた。
【先行技術文献】
【特許文献】
【０００３】
【特許文献１】特許第４０７９２８７号
【発明の概要】
【発明が解決しようとする課題】
【０００４】
しかしながら、従来技術においては、例えば、ＨＴＭＬページが表示された画面の表示領域の上部と下部とにのみ２つのリンク要素が存在する場合、リモートコントローラが備えるキーを操作すると、フォーカスが表示領域の上部から下部へと大きく移動する。また、ＨＴＭＬページが画面の表示領域よりも大きくかつ表示領域に表示されたＨＴＭＬページの部分に１つしかリンク要素が存在しなかった場合、フォーカスをリンク要素に移動させると、フォーカスの移動に伴い画面に表示されたＨＴＭＬページが大きくスクロールする。そのため、従来技術では、リンク要素にフォーカスを移動させると、フォーカスの大きな移動やＨＴＭＬページのスクロールが起こり、ＨＴＭＬページ内において現在閲覧している位置が移動してしまい、継続してＨＴＭＬページを閲覧することが困難になる場合がある、という課題がある。また、従来技術においては、１つのリンク要素から他のリンク要素へとフォーカスを移動させる場合、リモートコントローラが備える方向キーを押下することにより行っているが、ＨＴＭＬページ内に大量のリンク要素が存在する場合、所望のリンク要素にフォーカスを移動させるために、リモートコントローラが備える方向キーを何度も押下しなければならない、という課題がある。
【０００５】
本発明は、上記に鑑みてなされたものであって、より直感的な閲覧操作を提供することができる情報処理装置および情報処理方法を提供することを目的とする。
【課題を解決するための手段】
【０００６】
実施形態の情報処理装置は、受信部、解析部と、表示制御部と、決定部と、受付部と、移動部と、を備える。前記受信部は、リンク先のデータを指定するリンク要素を含む構造化文書を受信する。前記解析部は、前記受信した構造化文書を解析する。前記表示制御部は、前記受信した構造化文書の解析結果に基づいて当該受信した構造化文書に含まれるリンク要素を配置した文書画像を生成し、当該生成した文書画像を表示部に表示する。前記決定部は、前記文書画像に対する位置が移動可能でありかつ前記表示部において前記文書画像を表示するための表示領域より小さい所定領域を決定する。前記受付部は、前記所定領域の移動を指示する移動指示を受け付ける。前記移動部は、前記移動指示を受け付けた場合に、前記文書画像に対する前記所定領域の位置を予め設定された領域分移動させる。前記表示制御部が、前記移動した所定領域内に配置されたリンク要素を前記文書画像に配置された他のリンク要素とは異なる表示態様で前記表示部に表示する。
【図面の簡単な説明】
【０００７】
【図１】図１は、本実施形態にかかる情報処理装置の信号処理系を示すブロック図である。
【図２】図２は、リモートコントローラの外観を示す平面図である。
【図３】図３は、本実施形態にかかる情報処理装置の機能的構成を示すブロック図である。
【図４】図４は、構造化文書に含まれるリンク要素の抽出処理の流れを示すフローチャートである。
【図５】図５は、構造化文書に基づいて生成された文書画像の一例を示す図である。
【発明を実施するための形態】
【０００８】
本実施形態にかかる情報処理装置について説明する。本実施形態にかかる情報処理装置は、インターネット等のネットワークを経由してサーバ（図示しない）からＨＴＭＬ（Hyper  Text  Markup  Language）ページ等の構造化文書を受信し、受信した構造化文書を表示部に表示するインターネット接続機能を備えたデジタルテレビジョンである。なお、本実施形態では、情報処理装置としてデジタルテレビジョンを用いた例を説明するが、例えば、ＨＤＤ（Hard  Disk  Drive）レコーダやテレビパソコン等を情報処理装置として用いることも可能である。
【０００９】
図１は、本実施形態にかかる情報処理装置の信号処理系を示すブロック図である。なお、この情報処理装置１は、通常の平面視（２次元）表示用の映像信号に基づく画像表示を行なうだけでなく、立体視（３次元）表示用の映像信号に基づく画像表示も行なうことができる。
【００１０】
図１に示すように、情報処理装置１は、アンテナ１２で受信したデジタルテレビジョン放送信号を、入力端子１３を介してチューナ部１４に供給することにより、所望のチャンネルの放送信号を選局することが可能になっている。
【００１１】
情報処理装置１は、チューナ部１４で選局された放送信号を、復調復号部１５に供給してデジタルの映像信号および音声信号等に復元した後、信号処理部１６に出力する。信号処理部１６は、復調復号部１５から供給されたデジタルの映像信号および音声信号に対してそれぞれ所定のデジタル信号処理を施す。
【００１２】
なお、信号処理部１６が行なう所定のデジタル信号処理には、通常の平面視（２次元）表示用の映像信号を立体視（３次元）表示用の映像信号に変換する処理や、立体視表示用の映像信号を平面視表示用の映像信号に変換する処理等も含まれている。
【００１３】
また、信号処理部１６は、デジタルの映像信号を合成処理部１７に出力し、デジタルの音声信号を音声処理部１８に出力している。このうち、合成処理部１７は、信号処理部１６から供給されるデジタルの映像信号に、ＯＳＤ（On  Screen  Display）信号生成部１９で生成される字幕、ＧＵＩ（Graphical  User  Interface）、ＯＳＤなどの重畳用映像信号であるＯＳＤ信号を重畳して出力している。この場合、合成処理部１７は、信号処理部１６から供給される映像信号が通常の平面視表示用の映像信号であれば、その映像信号にＯＳＤ信号生成部１９から供給されたＯＳＤ信号をそのまま重畳して出力している。また、合成処理部１７は、信号処理部１６から供給される映像信号が立体視表示用の映像信号である場合、詳細は省略するが、ＯＳＤ信号生成部１９から供給されたＯＳＤ信号に対して、入力された立体視表示用の映像信号に対応した立体視表示用の信号処理を施した後、そのＯＳＤ信号を入力映像信号に重畳して出力している。
【００１４】
情報処理装置１は、合成処理部１７から出力したデジタルの映像信号を、映像処理部２０に供給する。映像処理部２０は、入力されたデジタルの映像信号を、表示装置３で表示可能なフォーマットのアナログ映像信号に変換して出力する。情報処理装置１は、映像処理部２０から出力されたアナログ映像信号を、表示装置３に供給して画像表示に供する。
【００１５】
音声処理部１８は、入力されたデジタルの音声信号を、後段のスピーカ２２で再生可能なフォーマットのアナログ音声信号に変換している。そして、この音声処理部１８から出力されたアナログ音声信号が、スピーカ２２に供給されることにより音声再生に供される。
【００１６】
ここで、情報処理装置１は、上記した各種の受信動作を含むその全ての動作を制御部２３によって統括的に制御している。この制御部２３は、ＣＰＵ（Central  Processing  Unit）２３ａを内蔵しており、情報処理装置１の本体に設置された操作部２４からの操作情報を受けて、または、リモートコントローラ６から発光された赤外線光信号を受光部５で受光し、受光した赤外線光信号に従って、その操作内容（または、赤外線光信号が示す指示）が反映されるように各部をそれぞれ制御している。
【００１７】
制御部２３は、メモリ部２３ｂを利用している。メモリ部２３ｂは、主として、ＣＰＵ２３ａが実行する制御プログラムを格納したＲＯＭ（Read  Only  Memory）と、該ＣＰＵ２３ａに作業エリアを提供するためのＲＡＭ（Random  Access  Memory）と、各種の設定情報および制御情報等が格納される不揮発性メモリとを有している。また、制御部２３には、ディスクドライブ部２７が接続されている。ディスクドライブ部２７は、例えばＤＶＤ（Digital  Versatile  Disk）等の光ディスク２８を着脱自在とするもので、装着された光ディスク２８に対してデジタルデータの記録再生を行なう機能を有している。
【００１８】
制御部２３は、視聴者による操作部２４やリモートコントローラ６の操作に基づいて、復調復号部１５から得られるデジタルの映像信号および音声信号を、記録再生処理部２９によって暗号化し所定の記録フォーマットに変換した後、ディスクドライブ部２７に供給して光ディスク２８に記録させるように制御することができる。
【００１９】
また、制御部２３は、視聴者による操作部２４やリモートコントローラ６の操作に基づいて、ディスクドライブ部２７により光ディスク２８からデジタルの映像信号および音声信号を読み出させ、上記記録再生処理部２９によって復号化した後、信号処理部１６に供給することによって、以後、上記した映像表示および音声再生に供させるように制御することができる。
【００２０】
制御部２３には、ＨＤＤ（Hard  Disk  Drive）３０が接続されている。制御部２３は、視聴者による操作部２４やリモートコントローラ６の操作に基づいて、復調復号部１５から得られるデジタルの映像信号および音声信号を、記録再生処理部２９によって暗号化し所定の記録フォーマットに変換した後、ＨＤＤ３０に供給してハードディスク３０ａに記録させるように制御することができる。
【００２１】
また、制御部２３は、視聴者による操作部２４やリモートコントローラ６の操作に基づいて、ＨＤＤ３０によりハードディスク３０ａからデジタルの映像信号および音声信号を読み出させ、記録再生処理部２９によって復号化した後、信号処理部１６に供給することによって、以後、上記した映像表示および音声再生に供させるように制御することができる。
【００２２】
さらに、情報処理装置１には、入力端子３１が接続されている。入力端子３１は、情報処理装置１の外部からデジタルの映像信号および音声信号を直接入力するためのものである。この入力端子３１を介して入力されたデジタルの映像信号および音声信号は、制御部２３の制御に基づいて、記録再生処理部２９を介した後、信号処理部１６に供給されて、以後、上記した映像表示および音声再生に供される。
【００２３】
また、入力端子３１を介して入力されたデジタルの映像信号および音声信号は、制御部２３の制御に基づいて、記録再生処理部２９を介した後、ディスクドライブ部２７による光ディスク２８に対しての記録再生や、ＨＤＤ３０によるハードディスク３０ａに対しての記録再生に供される。
【００２４】
なお、制御部２３は、視聴者による操作部２４やリモートコントローラ６の操作に基づいて、ディスクドライブ部２７とＨＤＤ３０との間で、光ディスク２８に記録されているデジタルの映像信号および音声信号をハードディスク３０ａに記録したり、ハードディスク３０ａに記録されているデジタルの映像信号および音声信号を光ディスク２８に記録したりすることも制御している。
【００２５】
また、制御部２３には、ネットワークインターフェース３２が接続されている。このネットワークインターフェース３２は、入出力端子３３を介して外部のネットワーク３４に接続されている。そして、このネットワーク３４には、当該ネットワーク３４を介した通信機能を利用して各種のサービスを提供するための複数（図示の場合は２つ）のネットワークサーバ３５，３６が接続されている。このため、制御部２３は、ネットワークインターフェース３２、入出力端子３３およびネットワーク３４を介して、所望のネットワークサーバ３５，３６にアクセスして情報通信を行なうことにより、そこで提供しているサービスを利用することができるようになっている。
【００２６】
簡単に説明すると、制御部２３は、ネットワーク３４経由してネットワークサーバ３５，３６からＨＴＭＬページ等の構造化文書を受信し、受信した構造化文書を解析して、その解析結果に基づいて、構造化文書に含まれる要素が配置された文書画像を生成して表示装置３に出力することにより、当該生成した文書画像を表示装置３に表示する。また、制御部２３は、リモートコントローラ６から赤外線通信などにより、リモートコントローラ６が備えるキーの押下により入力された情報を受信し、受信した情報に従って、表示装置３に表示した文書画像内を移動する所定領域Ａ（フォーカス）を、構造化文書に重ね合わせて表示する。
【００２７】
図２は、リモートコントローラの外観を示す平面図である。図２に示すように、リモートコントローラ２５には、主として、電源キー２５ａ、２次元／３次元切替キー２５ｂ、数字キー２５ｃ、チャンネルアップダウンキー２５ｄ、音量調整キー２５ｅ、カーソル上キー２５ｆ、カーソル下キー２５ｇ、カーソル左キー２５ｈ、カーソル右キー２５ｉ、決定キー２５ｊ、メニューキー２５ｋ、戻るキー２５ｌ、終了キー２５ｍ、４色（青，赤，緑，黄）のカラーキー２５ｎ等が設けられている。なお、２次元／３次元切替キー２５ｂは、表示装置３を、３次元表示モード、または２次元表示モードに切り替えることを要求するためのボタンである。
【００２８】
また、リモートコントローラ２５には、再生停止キー２５ｏ、再生／一時停止キー２５ｐ、逆方向スキップキー２５ｑ、順方向スキップキー２５ｒ、早戻しキー２５ｓ、早送りキー２５ｔ等が設けられている。
【００２９】
すなわち、情報処理装置１は、ディスクドライブ部２７やＨＤＤ３０から取得した映像や音声等の情報に対しては、リモートコントローラ６の再生停止キー２５ｏや再生／一時停止キー２５ｐを操作することにより、再生、停止、一時停止を行なうことが可能となる。また、情報処理装置１は、リモートコントローラ６の逆方向スキップキー２５ｑや順方向スキップキー２５ｒを操作することにより、ディスクドライブ部２７やＨＤＤ３０で再生している映像や音声等の情報を、その再生方向に対して逆方向や順方向に一定量ずつスキップさせる、いわゆる、逆方向スキップや順方向スキップを行なうことができる。さらに、情報処理装置１は、リモートコントローラ６の早戻しキー２５ｓや早送りキー２５ｔ等を操作することにより、ディスクドライブ部２７やＨＤＤ３０で再生している映像や音声等の情報を、その再生方向に対して逆方向や順方向に連続的に高速で再生させる、いわゆる、早戻し再生や早送り再生を行なうことができる。
【００３０】
次に、図３〜５を参照して、ネットワークサーバ３５，３６から受信した構造化文書に含まれるリンク要素の抽出処理に関わる情報処理装置１の機能的構成について説明する。図３は、本実施形態にかかる情報処理装置の機能的構成を示すブロック図である。図４は、構造化文書に含まれるリンク要素の抽出処理の流れを示すフローチャートである。図５は、構造化文書に基づいて生成された文書画像の一例を示す図である。図３に示すように、制御部２３が有するメモリ部２３ｂに格納された制御プログラムは、大別すると、文書表示制御部１０２、表示合成部１０３、および所定領域表示制御部１０４等を含むモジュール構成となっている。ＣＰＵ２３ａがメモリ２３ｂから制御プログラムを読み出して実行することにより上記各部が主メモリ上にロードされて、文書表示制御部１０２、表示合成部１０３、および所定領域表示制御部１０４等が主記憶装置上に生成される。
【００３１】
本実施形態の情報処理装置１で実行される制御プログラムは、インストール可能な形式または実行可能な形式でＣＤ−ＲＯＭ、フレキシブルディスク（ＦＤ）、ＣＤ−Ｒ、ＤＶＤ（Digital  Versatile  Disk）等のコンピュータで読み取り可能な記憶媒体に記録されて提供される。
【００３２】
また、本実施形態の情報処理装置１で実行される制御プログラムを、インターネット等のネットワーク３４に接続されたコンピュータ上に格納し、ネットワーク３４経由でダウンロードさせることにより提供するように構成しても良い。また、本実施形態の情報処理装置１で実行される制御プログラムをインターネット等のネットワーク３４経由で提供または配布するように構成しても良い。
【００３３】
文書表示制御部１０２は、ネットワークインターフェース３２を介してネットワークサーバ３５，３６）から受信した構造化文書の表示制御を行うものである。具体的には、文書表示制御部１０２は、受信部１０２ａ、解析部１０２ｂ、および生成部１０２ｃを備えている。
【００３４】
受信部１０２ａは、ネットワークインターフェース３２を介して、ネットワーク３４上のＵＲＩ（Uniform  Resource  Identifier）を指定して、ネットワークサーバ３５，３６に対してＨＴＭＬページ等の構造化文書の取得を要求することにより、ネットワークサーバ３５，３６から構造化文書を受信するものである。ここで、構造化文書は、リンク先のデータ（例えば、構造化文書や動画像など）を指定するリンク要素を含む文書であり、例えば、クリック可能要素やテキスト入力可能要素などインタラクション入力機能を持つ要素など属性hrefを含むリンク要素が構造化されて記述されたＨＴＭＬページ等である。
【００３５】
また、受信部１０２ａは、移動した所定領域Ａ内に配置されたリンク要素のうち後述する所定領域決定部１０４ａにより入力を受け付けた識別情報により識別されるリンク要素により指定されたリンク先のデータを受信する。本実施形態では、受信部１０２ａは、移動した所定領域Ａ内に配置されたリンク要素のうち後述する所定領域決定部１０４ａにより入力を受け付けた識別情報により識別されるリンク要素に付加された属性hrefにより指定されたＵＲＩを取得する。そして、受信部１０２ａは、ネットワークインターフェース３２を介してネットワークサーバ３５，３６に対して、取得したＵＲＩを指定してＨＴＭＬページ等の構造化文書の取得を要求することにより、ネットワークサーバ３５，３６から構造化文書を受信する。なお、本実施形態では、受信部１０２ａが、構造化文書を受信する例について説明するが、これに限定するものではなく、例えば、後述する所定領域決定部１０４ａにより入力を受け付けた識別情報により識別されるリンク要素により指定されたリンク先のデータが動画像である場合には、受信部１０２ａは、ネットワークサーバ３５，３６から動画像を受信する。また、後述する所定領域決定部１０４ａにより入力を受け付けた識別情報により識別されるリンク要素により指定されるリンク先のデータが同一の構造化文書内に配置された要素である場合には、受信部１０２ａは、当該同一の構造化文書内の要素を受信する（つまり、他の要素へとジャンプする）。
【００３６】
解析部１０２ｂは、受信部１０２ａにより受信した構造化文書を解析するものである。具体的には、解析部１０２ｂは、受信した構造化文書に含まれるリンク要素などの各種要素のレイアウトや、当該受信した構造化文書に含まれるリンク要素に付加された属性href等を解析する。
【００３７】
生成部１０２ｃは、解析部１０２ｂによる受信した構造化文書の解析結果（例えば、受信した構造化文書に含まれるリンク要素のレイアウトや当該リンク要素に付加された属性など）に基づいて、当該受信した構造化文書に含まれるリンク要素を配置した文書画像Ｘを生成するものである。そして、生成部１０２ｃは、生成した文書画像Ｘを表示装置３に出力することにより、当該生成した文書画像Ｘを、表示装置３において当該文書画像Ｘを表示するための表示領域Ｚに表示させる。なお、構造化文書の具体的な解析方法および表示方法については、周知の方法を用いるものとし、ここでは説明を省略する。
【００３８】
なお、生成部１０２ｃは、受信した構造化文書の解析結果に基づいて生成した文書画像Ｘが表示領域Ｚよりも大きい場合、当該生成した文書画像Ｘの一部を表示領域Ｚに表示するものとする。
【００３９】
また、生成部１０２ｃは、移動した所定領域Ａ内に配置されたリンク要素により指定されるリンク先のデータを表す画像のサムネイル画像Ｙを、表示装置３の表示領域Ｚ以外の領域に表示するものである。本実施形態では、移動した所定領域Ａ内に配置されたリンク要素により指定されるリンク先のデータが構造化文書である場合、生成部１０２ｃは、受信部１０２ａを制御して、移動した所定領域Ａ内に配置されたリンク要素により指定される構造化文書を受信する。次いで、生成部１０２ｃは、解析部１０２ｂを制御して、受信した構造化文書の解析を行い、当該受信した構造化文書の解析結果（例えば、取得した構造化文書に含まれる要素のレイアウトなど）に基づいて、当該受信した構造化文書に含まれる各種要素を配置した文書画像を生成する。次いで、生成部１０２ｃは、当該生成した文書画像のサムネイル画像Ｙを表示装置３に出力することにより、表示装置３の表示領域Ｚ以外の領域に、サムネイル画像Ｙを表示する。なお、本実施形態では、構造化文書の解析結果に基づいて生成した文書画像のサムネイル画像Ｙを表示装置３の表示領域Ｚ以外の領域に表示する例について説明するが、これに限定するものではなく、例えば、移動した所定領域Ａ内に配置されたリンク先のデータが動画像である場合には、動画像に含まれる１フレームのサムネイル画像Ｙを表示装置３の表示領域Ｚ以外の領域に表示する。このように、本実施形態では、生成部１０２ｃは、表示制御部として機能する。
【００４０】
所定領域表示制御部１０４は、文書表示制御部１０２によって表示領域Ｚに表示された文書画像Ｘに対する位置が移動可能でありかつ表示領域Ｚより小さい所定領域Ａを、表示領域Ｚに表示された文書画像Ｘに重ね合わせて表示するものである。具体的には、所定領域表示制御部１０４は、所定領域決定部１０４ａ、リンク要素抽出部１０４ｂ、付与部１０４ｃ、および所定領域生成部１０４ｄを備えている。
【００４１】
所定領域決定部１０４ａは、表示領域Ｚに表示された文書画像Ｘに対する位置が移動可能でありかつ表示領域Ｚより小さい所定領域Ａを決定する決定部である。本実施形態では、所定領域Ａは、表示領域Ｚより小さい矩形の領域であるものとする。これにより、表示領域Ｚが矩形である場合には、所定領域Ａを表示領域Ｚの角部にも隙間なく移動させることができる。なお、本実施形態では、所定領域Ａを矩形の領域としたが、これに限定するものではない。例えば、表示装置３の表示画面（表示領域Ｚ）が円形である場合には、所定領域Ａを円形の領域としても良い。
【００４２】
さらに、所定領域Ａの大きさは、表示領域Ｚの２以上の整数分の一の大きさ（例えば、１／５〜１／１０程度の大きさ）であるものとする。このように、所定領域Ａの大きさを表示領域Ｚの２以上の整数分の一の大きさとすることにより、所定領域Ａを当該所定領域Ａの大きさ分ずつ移動させた際に、所定領域Ａを表示領域Ｚの全ての領域に移動させることができるようになる。
【００４３】
また、所定領域決定部１０４ａは、表示領域Ｚに表示された文書画像Ｘに対する所定領域Ａの移動を指示する移動指示を受け付ける受付部としても機能する。本実施形態では、所定領域決定部１０４ａは、表示領域Ｚに表示された文書画像Ｘに対して所定領域Ａを移動させる移動方向を示す方向情報を含む移動指示を受け付ける。より具体的には、所定領域決定部１０４ａは、受光部５を介してリモートコントローラ６（入力部）の方向指示キー（例えば、カーソル上キー２５ｆ、カーソル下キー２５ｇ、カーソル左キー２５ｈ、カーソル右キー２５ｉ、メニューキー２５ｋ、戻るキー２５ｌ、終了キー２５ｍ）が押下されることにより入力された方向情報を含む移動指示を受け付ける。また、所定領域決定部１０４ａは、移動した所定領域Ａ内に配置されたリンク要素に付与された識別情報の入力を受け付ける。本実施形態では、所定領域決定部１０４ａは、リモートコントローラ６が備える番号キー（数字キー２５ｃ）により入力された番号を識別情報として入力を受け付ける。
【００４４】
さらに、所定領域決定部１０４ａは、移動指示を受け付けた場合に、表示領域Ｚに表示された文書画像Ｘに対する所定領域Ａの位置を予め設定された領域分移動させる移動部としても機能する。本実施形態では、所定領域決定部１０４ａは、表示領域Ｚに表示された文書画像Ｘに対する所定領域Ａの位置を、受け付けた移動指示に含まれる方向情報が示す移動方向に予め設定された領域分移動させる。本実施形態では、表示領域Ｚに文書画像Ｘが表示された際（初期状態において）は、所定領域決定部１０４ａは、表示領域Ｚの左上に移動させるものとする。そして、移動指示を受け付けると、所定領域決定部１０４ａは、表示領域Ｚに表示された文書画像Ｘに対する所定領域Ａの位置を、受け付けた移動指示に含まれる方向情報が示す移動方向に、所定領域Ａの大きさ分移動させるものとする。
【００４５】
具体的には、カーソル上キー２５ｆ、カーソル下キー２５ｇ、カーソル左キー２５ｈ、またはカーソル右キー２５ｉが押下されることにより方向情報が入力されて移動指示が受け付けられると、所定領域決定部１０４ａは、表示領域Ｚに表示された文書画像Ｘに対する所定領域Ａの位置を、受け付けた移動指示に含まれる方向情報が示す移動方向（つまり、上下または左右）に所定領域Ａ分移動させる。一方、カーソル上キー２５ｆ、カーソル下キー２５ｇ、カーソル左キー２５ｈ、およびカーソル右キー２５ｉの外側に存在するキー（例えば、メニューキー２５ｋ、戻るキー２５ｌ、終了キー２５ｍ）が押下されることにより方向情報が入力されて移動指示が受け付けられると、所定領域決定部１０４ａは、表示装置３が表示された文書画像Ｘに対する所定領域Ａの位置を、受け付けた移動指示に含まれる方向情報が示す移動方向に、所定領域Ａの大きさよりも大きく移動させるものとする。
【００４６】
なお、本実施形態では、所定領域決定部１０４ａは、受け付けた移動指示に含まれる方向情報が示す移動方向に、所定領域Ａの大きさ分移動させているが、これに限定するものではなく、例えば、受け付けた移動指示に含まれる方向情報が示す移動方向に、１画素ずつ所定領域Ａを移動させても良い。
【００４７】
リンク要素抽出部１０４ｂは、表示領域Ｚに表示された文書画像Ｘにおいて、所定領域決定部１０４ａにより移動された所定領域Ａに配置されたリンク要素を抽出するものである。本実施形態では、リンク要素抽出部１０４ｂは、解析部１０２ｂに対して、文書画像Ｘにおける当該移動された所定領域Ａの位置情報（例えば、構造化文書の解析結果に基づいて生成された文書画像Ｘにおける、矩形の所定領域Ａの４つの角部の座標）を解析部１０２ｂに通知して所定領域Ａに含まれる要素を要求することにより、所定領域Ａに含まれる要素を受信するものとする。なお、所定領域Ａに含まれる要素の受信方法は、周知の技術を用いて行うものとし、ここでは説明を省略する。そして、リンク要素抽出部１０４ｂは、解析部１０２ｂから、所定領域Ａに含まれる要素を受信すると、受信した要素のうち、クリック可能要素やテキスト入力可能要素などのインタラクション入力機能を有するリンク要素（つまり、属性hrefが付加された要素）を抽出する。
【００４８】
付与部１０４ｃは、リンク要素抽出部１０４ｂにより抽出されたリンク要素に対して、当該リンク要素の識別情報を付与する。本実施形態では、付与部１０４ｃは、抽出されたリンク要素に、リモートコントローラ６が備える番号キー（数字キー２５ｃ）によって入力される番号（１〜１２までの番号）を識別情報として付与するものとする。
【００４９】
なお、抽出されたリンク要素の数が数字キー２５ｃにより入力される番号の上限を超えた場合、リモートコントローラ６が備える決定キー２５ｊや、カーソル上キー２５ｆ、カーソル下キー２５ｇ、カーソル左キー２５ｈ、およびカーソル右キー２５ｉの外側に存在するキー（例えば、メニューキー２５ｋ、戻るキー２５ｌ、終了キー２５ｍ）が押下されることにより、１３以上の番号を入力可能とすることにより、付与部１０４ｃは、抽出されたリンク要素に対して、１３以上の番号を識別情報として付与しても良い。若しくは、抽出されたリンク要素の数が数字キー２５ｃにより入力される番号の上限を超えた場合、所定領域決定部１０４ａは、リンク抽出部１０４ｂにより抽出されるリンク要素の数が上限以下（つまり、１２以下）になるように、所定領域Ａの大きさを縮小しても良い。
【００５０】
所定領域生成部１０４ｄは、所定領域Ａの領域画像Ｂおよび付与部１０４ｃによりリンク要素に付与された識別情報の情報画像Ｃを生成し、生成した領域画像Ｂおよび情報画像Ｃを表示合成部１０３に出力する。本実施形態では、所定領域生成部１０４ｄは、表示装置３に表示された文書画像Ｘにおいて、所定領域Ａが移動した領域が当該所定領域Ａが移動した領域以外の領域とは異なる表示態様になるように、領域画像Ｂを生成する。また、所定領域生成部１０４ｄは、付与部１０４ｃによりリンク要素に識別情報として付与された番号が表示された情報画像Ｃを生成する。
【００５１】
表示合成部１０３は、移動した所定領域Ａ内に配置されたリンク要素を文書画像Ｘに配置された他のリンク要素とは異なる表示態様で表示装置３（表示領域Ｚ）に表示する。より具体的には、表示合成部１０３は、リンク要素抽出部１０４ｂにより抽出されたリンク要素近傍に、付与部１０４ｃにより付与された識別情報を表示することにより、移動された所定領域Ａ内に配置されたリンク要素を文書画像Ｘに配置された当該他のリンク要素とは異なる表示態様で表示装置３に表示するものとする。本実施形態では、表示合成部１０３は、生成部１０２ｃにより生成された文書画像Ｘに、所定領域生成部１０４ｄにより生成された情報画像Ｃを重ね合わせることにより、抽出されたリンク要素近傍に、付与部１０４ｃにより付与された識別情報を表示する。したがって、本実施形態では、リンク要素抽出部１０４ｂ、所定領域生成部１０４ｄ、および表示合成部１０３も、表示制御部として機能する。
【００５２】
なお、本実施形態では、表示合成部１０３が、領域画像Ｂおよび情報画像Ｃを、表示領域Ｚに表示された文書画像Ｘに重ね合わせることにより、所定領域Ａおよび識別情報を表示装置３に表示させているが、これに限定するものではない。例えば、所定領域生成部１０４ｄが、生成部１０２ｃに指示することにより、所定領域Ａおよび識別情報を、表示装置３に表示された文書画像Ｘ上に表示しても良い。
【００５３】
次に、図４および図５を用いて、ネットワークサーバ３５，３６から受信した構造化文書に含まれるリンク要素の抽出処理の一例について説明する。
【００５４】
受信部１０２ａがネットワークサーバ３５，３６から構造化文書を受信すると、解析部１０２ｂは、受信した構造化文書の解析を行う。そして、生成部１０２ｃは、解析部１０２ｂによる構造化文書の解析結果に基づいて、受信した構造化文書に含まれるリンク要素ａ〜ｚを配置した文書画像Ｘを生成する。
【００５５】
そして、生成部１０２ｃは、図５に示すように、生成した文書画像Ｘを表示装置３に出力することにより、当該生成した文書画像Ｘを、表示領域Ｚに表示する。所定領域決定部１０４ａは、表示領域Ｚに文書画像Ｘが表示されると、文書画像Ｘに対する位置が移動可能でありかつ表示領域Ｚより小さい所定領域Ａを決定する。そして、所定領域生成部１０４ｄは、所定領域決定部１０４ａにより所定領域Ａが決定されると、当該決定された所定領域Ａの領域画像Ｂを生成し、生成した領域画像Ｂを表示合成部１０３に出力する。表示合成部１０３は、所定領域決定部１０４ａにより生成された領域画像Ｂ（図５の破線で示す）を、文書画像Ｘに重ね合わせて表示装置３に表示する。
【００５６】
表示領域Ｚに文書画像Ｘが表示された状態で、リモートコントローラ６のキーが押下されると、所定領域決定部１０４は、受光部５を介してリモートコントローラ６から入力された情報に基づいて、リモートコントローラ６において押下されたキーが番号キー（数字キー２５ｃ）か、若しくは方向キー（カーソル上キー２５ｆ、カーソル下キー２５ｇ、カーソル左キー２５ｈ、およびカーソル右キー２５ｉ）か、を判断する（ステップＳ４０１）。
【００５７】
ここで、リモートコントローラ６において押下されたキーが方向キーである場合（ステップＳ４０１：方向キー）、所定領域決定部１０４ａは、移動指示を受け付ける。例えば、リモートコントローラ６のカーソル下キー２５ｇが押下された場合、所定領域決定部１０４ａは、所定領域Ａの移動方向として下方向を示す方向情報を含む移動指示を受け付ける。
【００５８】
次いで、所定領域決定部１０４ａは、受け付けた移動指示に含まれる方向情報が示す移動方向に、所定領域Ａを移動させる（ステップＳ４０２）。例えば、所定領域決定部１０４ａは、受け付けた移動指示に含まれる方向情報が示す方向が下方向（矢印で示す方向）である場合、破線で示す所定領域Ａを、実線で示す所定領域Ａの位置まで移動させる。なお、所定領域決定部１０４ａによる所定領域Ａの移動に伴い、所定領域生成部１０４ｄおよび表示合成部１０３は、領域画像Ｂを、破線で示す所定領域Ａの位置から、実線で示す所定領域Ａの位置に移動させる。
【００５９】
なお、本実施形態では。所定領域決定部１０４ａは、移動指示が受け付けられた場合、表示領域Ｚ内における所定領域Ａの位置を移動させることにより、表示領域Ｚに表示された文書画像Ｘに対する所定領域Ａの位置を移動させているが、これに限定するものではない。例えば、移動指示が受け付けられた場合に、表示装置３の表示領域Ｚ内における所定領域Ａの位置を変えずに、表示領域Ｚに表示された文書画像Ｘの位置を移動させることにより（つまり、文書画像Ｘをスクロールさせることにより）、表示領域Ｚに表示された文書画像Ｘに対する所定領域Ａの位置を移動させても良い。
【００６０】
また、生成部１０２ｃは、表示領域Ｚに表示した文書画像Ｘが、受信した構造化文書の解析結果に基づいて生成した文書画像Ｘの一部であり、かつ受け付けた移動指示に従って所定領域Ａを移動させる移動方向に存在する表示領域Ｚの端部と所定領域Ａとの間の領域の大きさが予め設定された領域（本実施形態では、所定領域Ａ）の大きさより小さい場合、当該生成した文書画像Ｘのうち表示領域Ｚに表示する部分を、当該予め設定された領域の大きさ分スクロール（移動）させるものとする。本実施形態では、生成部１０２ｃは、所定領域Ａの大きさ分、文書画像Ｘを移動させるものとする。これにより、表示領域Ｚに表示されていない文書画像Ｘを継続して閲覧する場合に、快適な閲覧方法を提供することができる。
【００６１】
所定領域Ａが移動すると、リンク要素抽出部１０４ｂは、文書画像Ｘにおいて、移動した所定領域Ａに配置されたリンク要素が存在するか否かを判断する（ステップＳ４０３）。移動した所定領域Ａ内にリンク要素が配置されている場合（ステップＳ４０３：Ｙｅｓ）、リンク要素抽出部１０４ｂは、移動した所定領域Ａ内に配置されたリンク要素ｍ〜ｑを抽出する。また、付与部１０４ｃは、抽出されたリンク要素ｍ〜ｑに対して、当該リンク要素ｍ〜ｑにリモートコントローラ６が備える番号キーにより入力可能な番号：１〜５を識別情報として付与する。リンク要素抽出部１０４ｂは、抽出したリンク要素ｍ〜ｑに番号：１〜５が付与されると、当該抽出したリンク要素ｍ〜ｑと当該リンク要素ｍ〜ｑに付与された番号：１〜５とを対応付けて記憶する（ステップＳ４０４）。
【００６２】
抽出されたリンク要素ｍ〜ｑに番号：１〜５が付与されると、所定領域生成部１０４ｄは、当該抽出されたリンク要素ｍ〜ｑに付与された番号１〜５を含む情報画像Ｃを生成し、生成した情報画像Ｃを表示合成部１０３に出力する。表示合成部１０３は、図５に示すように、情報画像Ｃを、抽出されたリンク要素ｍ〜ｑの近傍に表示する。また、本実施形態では、表示合成部１０３は、抽出されたリンク要素ｍ〜ｑを、文書画像Ｘに配置された他のリンク要素と区別するために、当該抽出されたリンク要素ｍ〜ｑを囲む枠５０４を文書画像Ｘに表示する。なお、本実施形態では、移動した所定領域Ａ内に配置されたリンク要素（つまり、抽出されたリンク要素ｍ〜ｑ）近傍に識別情報や枠５０４を表示することにより、移動した所定領域Ａ内に配置されたリンク要素と文書画像Ｘ内に配置された他のリンク要素とを異なる表示態様で表示しているが、これに限定するものではない。例えば、移動した所定領域Ａ内に配置されたリンク要素を、点滅させたり、他のリンク要素とは異なる色で表示させたりしても良い。
【００６３】
さらに、表示合成部１０３は、抽出されたリンク要素ｍ〜ｑのうち、他の構造化文書を受信するリンク要素を選択するためのカーソル５０１を文書画像Ｘに表示する。ユーザは、リモートコントローラ６の番号キー（数字キー２５ｃ）を押下することにより、抽出されたリンク要素ｍ〜ｑに付与された番号（識別情報）のうち、所望のリンク要素に付与された番号を入力することができる。表示合成部１０３は、入力された番号を含む情報画像Ｃが近傍に表示されたリンク要素にカーソル５０１を移動させる。
【００６４】
また、移動した所定領域Ａに配置されたリンク要素ｍ〜ｑが抽出された場合、受信部１０２ａは、リンク要素抽出部１０４ｃにより抽出されたリンク要素ｍ〜ｑに付加された属性hrefにより指定されるＵＲＩを取得し、取得したＵＲＩを指定して、ネットワークサーバ３５，３６から構造化文書を受信する。つまり、受信部１０２ａは、抽出されたリンク要素ｍ〜ｑにより指定されたリンク先のデータとして構造化文書を受信する。解析部１０２ｂは、リンク要素を含む構造化文書と同様にして、受信部１０２ａが受信した構造化文書を解析する。そして、生成部１０２ｃは、受信した構造化文書の解析結果に基づいて、受信した構造化文書に含まれる要素を配置した文書画像を生成し、生成した文書画像のサムネイル画像Ｙを表示装置３に出力する。これにより、生成部１０２ｃは、図５に示すように、表示領域Ｚ以外の領域（例えば、表示領域Ｚの下方の領域）に、サムネイル画像Ｙを表示する。なお、サムネイル画像Ｙは、移動した所定領域Ａの中にリンク要素が配置されていれば、自動的に表示されるものであり、ユーザは、サムネイル画像Ｙを表示させるために特別な操作をする必要はない。
【００６５】
本実施形態では、表示合成部１０３は、サムネイル画像Ｙの近傍にも、リンク要素ｍ〜ｑに付与された番号：１〜５を含む情報画像Ｃを表示するものとする。さらに、表示合成部１０３は、カーソル５０１が移動したリンク要素により指定される構造化文書に基づいて生成した文書画像のサムネイル画像Ｙにカーソル５０２を表示する。つまり、表示合成部１０３は、カーソル５０１の移動に連動してカーソル５０２も移動させる。
【００６６】
なお、移動した所定領域Ａに配置されたリンク要素が存在しなかった場合（ステップＳ４０３：Ｎｏ）、リンク要素抽出部１０４ｂは、抽出したリンク要素と当該リンク要素に付与された番号との対応付けを削除し、ステップＳ４０１に戻り、リモートコントローラ６のキーが再び押下されるのを待つ（ステップＳ４０５）。
【００６７】
リモートコントローラ６において押下されたキーが番号キー（数字キー２５ｃ）である場合（ステップＳ４０１：番号キー）、所定領域決定部１０４ａは、数字キー２５ｃにより入力された番号（つまり、識別情報）の入力を受け付ける（ステップＳ４０６）。なお、本実施形態では、リモートコントローラ６が備える番号キー（数字キー２５ｃ）の押下により識別情報の入力を受け付けているが、これに限定するものではない。例えば、リモートコントローラ６の方向キー（カーソル上キー２５ｆ、カーソル下キー２５ｇ、カーソル左キー２５ｈ、およびカーソル右キー２５ｉ）の外側に配置されたキー（メニューキー２５ｋ、戻るキー２５ｌ、終了キー２５ｍ）の操作により、カーソル５０１を移動させることにより、当該カーソル５０１が移動したリンク要素の近傍に表示された情報画像Ｃに対応する番号（識別情報）の入力を受け付けるようにしても良い。
【００６８】
そして、受信部１０２ａは、移動した所定領域Ａ内に配置されたリンク要素ｍ〜ｑのうち、入力を受け付けた番号により識別されるリンク要素により指定されるリンク先のデータを受信する。本実施形態では、リンク要素抽出部１０４ｃによりリンク要素が抽出された際に、当該抽出されたリンク要素により指定されるリンク先のデータが受信されているため、受信部１０２ａは、受信されたリンク先のデータの中から、入力を受け付けた番号により識別されるリンク要素により指定されるリンク先のデータを取得するものとする。なお、受信したリンク先のデータが構造化文書である場合における当該構造化文書に基づく文書画像の表示処理は、上述した処理と同様に行われる。
【００６９】
また、入力を受け付けた番号により識別されるリンク要素により指定されるリンク先のデータを受信することができなかった場合、解析部１０２ｂおよび生成部１０２ｃは、リンク先のデータを表す画像の生成を行わず、表示領域Ｚに表示される画像の遷移も行われないものとする。例えば、入力を受け付けた番号５により識別されるリンク要素ｑによりリンク先のデータとして指定された構造化文書が取得できなかった場合、解析部１０２ｂおよび生成部１０２ｃは、リンク要素ｑによりリンク先のデータとして指定された構造化文書の解析および当該構造化文書に基づく文書画像Ｘの生成を行わない。
【００７０】
なお、本実施形態では、表示合成部１０３は、移動した所定領域Ａ内に配置されたリンク要素（つまり、リンク要素抽出部１０４ｂにより抽出された全てのリンク要素）の近傍に識別情報を表示しているが、これに限定するものではない。例えば、表示合成部１０３は、移動した所定領域Ａ内に配置されたリンク要素（リンク要素抽出部１０４ｂにより抽出されたリンク要素）のうち、受信部１０２ａにより受信できるリンク先のデータを指定するリンク要素に付与された識別情報（情報画像Ｃ）のみを表示装置３に表示しても良い。
【００７１】
このように、本実施形態にかかる情報処理装置１によれば、リンク先のデータを指定するリンク要素を含む構造化文書を受信する受信部１０２ａと、受信した構造化文書を解析する解析部１０２ｂと、受信した構造化文書の解析結果に基づいて、当該受信した構造化文書に含まれるリンク要素を配置した文書画像Ｘを生成し、当該生成した文書画像Ｘを表示装置３に表示する生成部１０２ｃ（表示制御部）と、文書画像Ｘに対する位置が移動可能でありかつ表示領域Ｚより小さい所定領域Ａを決定し、所定領域Ａの移動を指示する移動指示を受け付け、移動指示が受け付けられた場合に、文書画像Ｘに対する所定領域Ａの位置を予め設定された領域分移動させる所定領域決定部１０４ａと、移動した所定領域Ａ内に配置されたリンク要素を文書画像Ｘに配置された他のリンク要素とは異なる表示態様で表示する表示合成部１０３と、を備えることにより、文書画像Ｘ内においてユーザが閲覧している位置に合わせて所定領域Ａを移動させることができるので、より直感的な閲覧操作を提供することができる。
【００７２】
本発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれる。
【符号の説明】
【００７３】
１…情報処理装置、３…表示装置、５…受光部、６…リモートコントローラ、１０２…文書表示制御部、１０２ａ…受信部、１０２ｂ…解析部、１０２ｃ…生成部、１０３…表示合成部、１０４…所定領域表示制御部、１０４ａ…所定領域決定部、１０４ｂ…リンク要素抽出部、１０４ｃ…付与部、１０４ｄ…所定領域生成部、Ａ…所定領域、Ｘ…文書画像、Ｙ…サムネイル画像、Ｚ…表示領域。
【図１】
2013134696.tif 000003
【図２】
2013134696.tif 000004
【図３】
2013134696.tif 000005
【図４】
2013134696.tif 000006
【図５】
2013134696.tif 000007